(57)【要約】【課題】湯を浴び続けることに起因する身体への負担を軽減する。【解決手段】吐水装置Ａは、温水を出湯する吐水部１１〜１４と、吐水部１１〜１４における出湯温度を設定可能な温度設定操作部３０と、吐水部１１〜１４における出湯温度を制御可能な制御部５５とを備え、制御部５５は、吐水部１１〜１４からの出湯中に出湯温度を低下させるクールダウン制御機能を有している。吐水部１１〜１４から高温の湯が吐出している状態が続くと、制御部５５は出湯温度を低下させる。これにより、高温の湯を浴び続けることに起因するのぼせの症状を回避することができる。【選択図】図５
2020143466.tif 000002
【特許請求の範囲】
【請求項１】
温水を出湯する吐水部と、
前記吐水部における出湯温度を設定可能な温度設定操作部と、
前記吐水部における出湯温度を制御可能な制御部とを備え、
前記制御部は、前記吐水部からの出湯中に出湯温度を低下させるクールダウン制御機能を有していることを特徴とする吐水装置。
【請求項２】
前記クールダウン制御機能を実行させるための条件を設定可能なクールダウン設定部を備えていることを特徴とする請求項１記載の吐水装置。
【請求項３】
前記制御部は、出湯温度をクールダウン温度まで低下させた後、所定のクールダウン時間が経過したことを条件として、出湯温度を手動設定温度へ上昇させる機能を備えていることを特徴とする請求項１又は請求項２記載の吐水装置。
【発明の詳細な説明】
【技術分野】
【０００１】
本発明は、吐水装置に関する。
【背景技術】
【０００２】
特許文献１には、浴室利用開始時におけるヒートショックを回避することを目的とした吐水装置が開示されている。この吐水装置は、吐出部からの吐水を開始した直後に、吐出部経路（給水経路）内に残留している冷水を排出し、排水温度が所定温度まで上昇すると、使用対象である吐水部から湯を吐出するようになっている。この吐水装置によれば、吐水を開始したときに、冷水を身体に浴びるおそれがないので、ヒートショックを防止することができる。
【先行技術文献】
【特許文献】
【０００３】
【特許文献１】特開２０００−１４５８０号公報
【発明の概要】
【発明が解決しようとする課題】
【０００４】
上記の吐水装置は、冷水を浴びることに起因するヒートショックを防止することはできるが、シャワーからの高温の湯を浴び続けた場合に生じるのぼせの症状を解決することはできない。
【０００５】
本発明は、上記従来の実情に鑑みてなされたものであって、湯を浴び続けることに起因する身体への負担を軽減することを解決すべき課題としている。
【課題を解決するための手段】
【０００６】
本発明の吐水装置は、
温水を出湯する吐水部と、
前記吐水部における出湯温度を設定可能な温度設定操作部と、
前記吐水部における出湯温度を制御可能な制御部とを備え、
前記制御部は、前記吐水部からの出湯中に出湯温度を低下させるクールダウン制御機能を有していることを特徴とする。
【発明の効果】
【０００７】
吐水部から高温の湯が吐出している状態が続くと、制御部は出湯温度を低下させる。これにより、高温の湯を浴び続けることに起因するのぼせの症状を回避することができる。
【図面の簡単な説明】
【０００８】
【図１】実施例１の吐水装置の斜視図である。
【図２】吐水装置の構成をあらわしたブロック図である。
【図３】温度設定操作部の表示形態をあらわした正面図である。
【図４】制御部によるクールダウン制御手順をあらわしたフローチャートである。
【図５】吐水部からの出湯開始後における出湯温度の経時的な推移をあらわしたグラフである。
【発明を実施するための形態】
【０００９】
本発明の吐水装置は、前記クールダウン制御機能を実行させるための条件を設定可能なクールダウン設定部を備えていてもよい。この構成によれば、吐水装置の利用者の年齢や体調等に応じて、クールダウン制御機能を適切に実行させることができる。
【００１０】
本発明の吐水装置は、前記制御部は、出湯温度をクールダウン温度まで低下させた後、所定のクールダウン時間が経過したことを条件として、出湯温度を手動設定温度へ上昇させる機能を備えていてもよい。この機能により、身体への負担を心配せずに、ヘッドシャワーやハンドシャワーやミストによる快適な入浴時間を長い時間に亘って楽しむことができる。
【００１１】
＜実施例１＞
以下、本発明を具体化した実施例１を図１〜図５を参照して説明する。尚、以下の説明において、前後の方向については、図１にあらわれる面を前面とする。上下の方向については、図１にあらわれる向きを、そのまま上方、下方と定義する。左右の方向については、図１にあらわれる向きを、そのまま左方、右方と定義する。
【００１２】
本実施例１の吐水装置Ａは、浴室に設置されるものである。図１に示すように、吐水装置Ａは、上下方向に長い方形のハウジング１０を有する。ハウジング１０は浴室の壁面に取り付けられる。吐水装置Ａは、ヘッドシャワー用吐水部１１（請求項に記載の吐水部）と、ハンドシャワー用吐水部１２（請求項に記載の吐水部）と、ミスト用吐水部１３と（請求項に記載の吐水部）、カラン用吐水部１４（請求項に記載の吐水部）とを有する。
【００１３】
ヘッドシャワー用吐水部１１は、ハウジング１０の正面上端部に配置されている。ヘッドシャワー用吐水部１１は、他の３つの吐水部１２〜１４よりも大口径であり、三次元方向に向きを変えることができるようになっている。ヘッドシャワー用吐水部１１からは、下向きに湯水が吐出されるようになっている。本実施例１では、ヘッドシャワー用吐水部１１から湯水を吐出させる使用形態を、ヘッドシャワーモードという。
【００１４】
ハンドシャワー用吐水部１２は、ハウジング１０の外側面から延びた可撓性を有するシャワーホース１５と、シャワーホース１５の先端部に取り付けたシャワーヘッド１６とを備えている。本実施例１では、ハンドシャワー用吐水部１２のシャワーヘッド１６から湯水を吐出させる使用形態を、ハンドシャワーモードという。
【００１５】
ミスト用吐水部１３は、複数のノズル１７を備えて構成されている。複数のノズル１７は、ハウジング１０の正面における左右両側縁部に沿って上下方向に並ぶように配置されている。各ノズル１７からは、ミストが霧状に放出されるようになっている。本実施例１では、ミスト用吐水部１３から湯水を吐出させる使用形態を、ミストモードという。
【００１６】
カラン用吐水部１４は、ハウジング１０の下端面に取り付けられている。カラン用吐水部１４は、水平に延びて水平に旋回可能なアーム部１８を有し、アーム部１８の先端部には、下向きに湯水を層流状に吐出する吐出口１９が設けられている。本実施例１では、カラン用吐水部１４から湯水を吐出させる使用形態を、カランモードという。
【００１７】
吐水装置Ａは、ヘッドシャワー用ハンドル２１と、ハンドシャワー用ハンドル２２と、ミスト用ハンドル２３と、カラン用ハンドル２４とを有する。これら４つのハンドル２１〜２４は、正面形状が円形の円柱形をなし、ハウジング１０の正面における左右方向中央部において上下に並ぶように配置されている。ヘッドシャワー用ハンドル２１は一番上に配置され、その下にハンドシャワー用ハンドル２２が配置され、その下にミスト用ハンドル２３が配置され、一番下にカラン用ハンドル２４が配置されている。各ハンドル２１〜２４は、使用する吐水部１１〜１４を選択するためのモード選択操作と、対応する吐水部１１〜１４からの吐出量を変えるための流量変更操作を行うためのものである。
【００１８】
各ハンドル２１〜２４の正面にはタッチスイッチ２５が設けられている。各タッチスイッチ２５は、例えばリング状のＬＥＤからなる発光部２６を備えている。４つのタッチスイッチ２５のうち使用したい吐水部１１〜１４のタッチスイッチ２５を指で触ると、指が触れたタッチスイッチ２５がＯＮ状態となり、指が触れたタッチスイッチ２５の発光部２６が点灯する。指が触れたタッチスイッチ２５と対応する吐水部１１〜１４は、使用対象として選択される。ＯＮ状態のタッチスイッチ２５を指で触ると、指が触れたタッチスイッチ２５はＯＮ状態からＯＦＦ状態に切り替わり、点灯していた発光部２６が消灯する。ＯＦＦ状態となったタッチスイッチ２５と対応する吐水部１１〜１４は、使用対象から外れる。
【００１９】
いずれかのタッチスイッチ２５がＯＮ状態であるときに、別のタッチスイッチ２５に新たに触れると、ＯＮ状態であったタッチスイッチ２５がＯＦＦ状態に切り替わると同時に、新たに触れたタッチスイッチ２５がＯＦＦ状態からＯＮ状態に切り替わる。したがって、４つのタッチスイッチ２５のうち吐水可能なＯＮ状態になるのは、いずれか１つのタッチスイッチ２５だけであり、使用可能な状態になるのは４つの吐水部１１〜１４のうちいずれか１つの吐水部１１〜１４だけである。
【００２０】
各ハンドル２１〜２４は、時計回り方向と反時計回り方向のいずれにも、回転させることができる。各ハンドル２１〜２４の回転角度は、角度センサ２７（図２参照）により個別に検出される。タッチスイッチ２５がＯＮ状態となっているハンドル２１〜２４を時計回り方向へ回転させると、そのハンドル２１〜２４と対応する吐水部１１〜１４から吐出される湯の流量（給湯量）が、ハンドル２１〜２４の回転角度に比例して増大する。吐水部１１〜１４から湯が吐出している状態で、ハンドル２１〜２４を反時計回り方向へ回転させると、その吐水部１１〜１４から吐出される湯の流量（給湯量）がハンドル２１〜２４の回転角度に比例して減少する。ハンドル２１〜２４が所定角度まで回転されると、吐水部１１〜１４からの吐水が停止する。
【００２１】
図１に示すように、ハウジング１０の正面には、温度設定操作部３０が設けられている。温度設定操作部３０は、液晶パネル等からなり、ヘッドシャワー用吐水部１１よりも下方であり、且つミスト用吐水部１３の上端及びヘッドシャワー用ハンドル２１よりも上方の位置に配置されている。図３に示すように、温度設定操作部３０は、吐水温度設定部３１とクールダウン設定部３７とを有する。
【００２２】
吐水温度設定部３１では、各吐水部１１〜１４から出湯させたい所望の出湯温度（吐水温度）を個別に設定・変更するための操作を行う。吐水温度設定部３１には、「ヘッドシャワー」、「ハンドシャワー」、「ミスト」、「カラン」の各文字３２が上から下へ順に並んで表示される。いずれかの文字３２を指で押すと、押された文字３２と対応する吐水部１１〜１４が温度調節の対象として選択される。各吐水部１１〜１４の文字３２の右側には、各吐水部１１〜１４毎に設定した出湯温度を示す文字３３が並んで表示される。出湯温度を示す文字３３の下方には、「上向き三角形」の図形３４と「下向き三角形」の図形３５が表示される。
【００２３】
いずれかの吐水部１１〜１４を選択した状態において、「上向き三角形」の図形３４を指で押すと、選択した吐水部１１〜１４の設定温度が上がる。「下向き三角形」の図形３５を指で押すと、選択した吐水部１１〜１４の設定温度が下がる。吐水部１１〜１４を選択した旨の情報と、設定した温度の情報（設定温度情報）は、温度設定信号として出力される。以下の説明において、吐水温度設定部３１で手動により設定した出湯温度を、手動設定温度（Ｔｍ℃）という。
【００２４】
吐水部１１〜１４の文字３２の下方には、「終了」の文字３６が表示される。「終了」の文字３６を指で押すと、吐水温度設定の操作が終了した旨の情報が、吐水部１１〜１４の選択情報及び手動設定温度（Ｔｍ℃）の情報とともに、温度設定信号として出力される。「終了」の文字３６を指で押した後も、「ヘッドシャワー」、「ハンドシャワー」、「ミスト」、「カラン」のうちいずれかの文字３２を指で押せば、温度調節の操作が可能となる。
【００２５】
クールダウン設定部３７では、制御部５５（図２を参照）によるクールダウン制御を実行するための条件を設定・変更する操作を行う。クールダウン制御は、手動設定温度（Ｔｍ℃）が、のぼせの症状が懸念されるような高い温度である場合に、吐水部１１〜１４からの出湯後に出湯温度をクールダウン温度（Ｔｃ℃）まで自動的に低下させる制御である。クールダウン制御では、出湯温度を低下させてクールダウンした後、再び出湯温度を手動設定温度（Ｔｍ℃）に戻すことも行う。
【００２６】
クールダウン設定部３７には「自動制御」の文字３８が表示される。「自動制御」の文字３８を押すと、制御部５５によるクールダウン制御が自動的に設定された条件に基づいて実行される。クールダウン制御を自動的に実行する制御形態を「クールダウン自動制御」という。クールダウン制御の一部を手動で設定した条件によって実行する制御形態を「クールダウン手動制御」という。「自動制御」の文字３８を指で押すと、「自動制御」の文字３８の表示部分が点灯し、制御形態としてクールダウン自動制御が選択される。クールダウン自動制御が選択されている状態で、「自動制御」の文字３８を押すと、「自動制御」の文字３８の表示部分が消灯し、制御形態がクールダウン自動制御からクールダウン手動制御に切り替わる。
【００２７】
制御部５５では、クールダウン自動制御を実行するために、クールダウンの要否を判断するための閾値としての基準温度（Ｔｓ℃）が、季節（平均外気温）や時間帯等に基づいて各吐水部１１〜１４毎に個別に設定される。ミスト用吐水部１３から吐出したミストは温度が低下し易いので、ミスト用吐水部１３の基準温度（Ｔｓ℃）は、ヘッドシャワー用吐水部１１及びハンドシャワー用吐水部１２の基準温度（Ｔｓ℃）よりも高く設定される。
【００２８】
制御部５５では、クールダウン温度（Ｔｃ℃）が、季節（平均外気温）や時間帯等に基づいて各吐水部１１〜１４毎に個別に設定されている。基準温度（Ｔｓ℃）と同様、ミスト用吐水部１３のクールダウン温度（Ｔｃ℃）は、ヘッドシャワー用吐水部１１及びハンドシャワー用吐水部１２のクールダウン温度（Ｔｃ℃）よりも高く設定されている。尚、図５では、クールダウン温度（Ｔｃ℃）が基準温度（Ｔｓ℃）よりも高く設定されているが、クールダウン温度（Ｔｃ℃）は基準温度（Ｔｃ℃）より低く設定されてもよい。
【００２９】
制御部５５では、クールダウン温度（Ｔｃ℃）を維持するクールダウン時間が、季節（平均外気温）や時間帯等に基づいて各吐水部１１〜１４毎に個別に設定される。ミスト用吐水部１３においてクールダウン温度（Ｔｃ℃）を維持する時間は、ヘッドシャワー用吐水部１１及びハンドシャワー用吐水部１２に比べると短く設定されている。制御部５５では、出湯温度を手動出湯温度（Ｔｓ℃）からクールダウン温度（Ｔｃ℃）へ低下させるのに要する時間が、手動設定温度（Ｔｍ℃）と基準温度（Ｔｓ℃）との温度差に基づいて設定されている。制御部５５では、クールダウン温度（Ｔｃ℃）（Ｔｓ℃）から手動設定温度（Ｔｍ℃）（Ｔｓ℃）へ復帰させるのに要する時間が、手動設定温度（Ｔｍ℃）と基準温度（Ｔｓ℃）との温度差に基づいて設定されている。
【００３０】
クールダウン設定部３７には、クールダウン手動制御の条件を手動で設定するための手段として、「基準温度」の文字３９と、「待機時間」の文字４０が表示される。「基準温度」の文字３９の右側には、基準温度（Ｔｓ℃）を示す文字４１が並んで表示される。「待機時間」の文字４０の右側には、待機時間の長さを示す文字４２が並んで表示される。待機時間の長さを示す文字４２の下方には、「上向き三角形」の図形４３と「下向き三角形」の図形４４が表示される。「基準温度」の文字３９を押して温度設定を選択した状態において、「上向き三角形」の図形４３を指で押すと基準温度（Ｔｓ℃）が高くなり、「下向き三角形」の図形４４を指で押すと基準温度（Ｔｓ℃）が低くなる。
【００３１】
「待機時間」の文字４０を押して時間設定を選択すると、手動設定温度（Ｔｍ℃）が基準温度（Ｔｓ℃）より高い場合において、出湯開始からクールダウンを開始するまでの待機時間を設定することができる。「上向き三角形」の図形４３を指で押すと待機時間が長くなり、「下向き三角形」の図形４４を指で押すと、待機時間が短くなる。クールダウン設定部３７で手動設定した基準温度（Ｔｓ℃）の情報と、待機時間の情報は、クールダウン手動制御の条件信号として制御部５５に入力される。「待機時間」の文字４０の下方には、「終了」の文字４５が表示される。「終了」の文字４５を指で押すと、クールダウン手動制御の条件設定の操作が終了する。
【００３２】
図２に示すように、吐水装置Ａは、４つの吐水部１１〜１４に湯水を供給するための給水路４６を有している。給水路４６は、１本（１系統）の共用流路４７と、共用流路４７の下流端に分岐状（並列状）に接続された４本（４系統）の分岐路４８とを有している。各分岐路４８の下流端には、ヘッドシャワー用吐水部１１とハンドシャワー用吐水部１２とミスト用吐水部１３とカラン用吐水部１４が、個別に接続されている。
【００３３】
吐水装置Ａは混合部４９を有する。混合部４９は、共用流路４７の上流端に設けられている。混合部４９には、給水源５０の下流端と給湯源５１の下流端とが接続されている。混合部４９は、共用流路４７を開閉するための開閉弁機構（図示省略）と、吐水部１１〜１４へ供給する湯水の流量を調節する流量調節機構（図示省略）と、給水源５０から供給された水と給湯源５１から供給された湯の混合比を調節する温度調節機構（図示省略）とを兼ね備えている。
【００３４】
吐水装置Ａは給水温度センサ５２を有する。給水温度センサ５２は、共用流路４７の途中（混合部４９より下流側であり、且つ４本の分岐路４８の上流端よりも上流側の位置）に設けられ、共用流路４７を流れる湯水の温度を検出する。吐水装置Ａは、４つの電磁開閉弁５３を有する。４つの電磁開閉弁５３は、４本の分岐路４８の途中に個別に設けられている。各電磁開閉弁５３は、各分岐路４８における湯水の流動を許容する開弁状態（給水可能状態）と、各分岐路４８における湯水の流動を停止する閉弁状態（止水状態）との間で切り替わる。
【００３５】
吐水装置Ａのハウジング１０内には制御部５５が設けられている。制御部５５は、選択された吐水部１１〜１４から、手動設定温度（Ｔｍ℃）の湯水を所望の流量で吐出させる制御機能を有する。この制御を実行するため、制御部５５には、４つのタッチスイッチ２５からのＯＮ・ＯＦＦ信号と、４つの角度センサ２７からの角度検出信号と、吐水温度設定部３１からの温度設定信号と、給水温度センサ５２からの給水温度検出信号が入力される。これらの信号に基づき、制御部５５は、混合部４９の開閉弁機構と流量調節機構と温度調節機構を電気的に制御し、４つの電磁開閉弁５３の開閉動作を電気的に制御する。
【００３６】
制御部５５は、手動設定温度（Ｔｍ℃）が基準温度（Ｔｓ℃）よりも高温である場合に、吐水部１１〜１４から手動設定温度（Ｔｍ℃）の湯を浴び続けることに起因する身体への負担（のぼせ）を回避するためのクールダウン制御機能を発揮する。クールダウン自動制御の手順と、クールダウン自動制御における出湯温度の推移を、図４のフローチャート及び図５のグラフに基づいて説明する。
【００３７】
吐水部１１〜１４から手動設定温度（Ｔｍ℃）の出湯が開始すると、吐水モードが通常出湯モードとなり、クールダウン自動制御が開始する。制御部５５は、手動設定温度（Ｔｍ℃）が基準温度（Ｔｓ℃）より高いかどうかを比較する（ステップＳ１０１）。手動設定温度（Ｔｍ℃）が基準温度（Ｔｓ℃）より高い場合は、制御部５５が、手動設定温度（Ｔｍ℃）と基準温度（Ｔｓ℃）との温度差に、出湯経過時間を乗じた積算値を演算する（ステップＳ１０２）。積算値が所定の限界値に達すると（ステップＳ１０３）、制御部５５は、のぼせの発症の可能性が高まったと判断し、吐水モードを通常出湯モードからクールダウンモードに切り替える。
【００３８】
手動設定温度（Ｔｍ℃）が高いほど、身体に熱がこもり易く身体への負担が大きくなると考えられるので、クールダウンモードへの切り替えタイミングを判断するための積算値の限界値は、手動設定温度（Ｔｍ℃）に拘わらず一定にしている。したがって、通常出湯モードが開始してからクールダウンモードに移行するまでの時間は、手動設定温度（Ｔｍ℃）と基準温度（Ｔｓ℃）との温度差が大きいほど短くなる。逆に、手動設定温度（Ｔｍ℃）と基準温度（Ｔｓ℃）との温度差が小さいほど、クールダウンモードに移行するまでの時間は長くなる。
【００３９】
クールダウンモードでは、吐水モードが温度低下モードから低温維持モードを経て温度復帰モードへ移行する。温度低下モードでは、制御部５５は、混合部４９における水と湯の混合比を変化させ、出湯温度を手動設定温度（Ｔｍ℃）からクールダウン温度（Ｔｃ℃）へと徐々に低下させる（ステップＳ１０４）。出湯温度がクールダウン温度（Ｔｃ℃）に達すると（ステップＳ１０５）、クールダウンモードが低温維持モードへ移行し、制御部５５は、出湯温度をクールダウン温度（Ｔｃ℃）に保つ（ステップＳ１０６）。所定のクールダウン時間（クールダウン温度（Ｔｃ℃）に維持される時間）が経過すると（ステップＳ１０７）、吐水モードが温度復帰モードへ移行する。
【００４０】
温度復帰モードでは、制御部５５は、出湯温度をクールダウン温度（Ｔｃ℃）から手動設定温度（Ｔｍ℃）へ徐々に上昇させる（ステップＳ１０８）。出湯温度が手動設定温度（Ｔｍ℃）（Ｔｍ）に達すると（ステップＳ１０９）、クールダウンモード（温度復帰モード）が終了し、制御部５５によるクールダウン自動制御も終了する。クールダウン自動制御が終了すると、通常出湯モードが再開する。通常出湯モードが再開すると、制御部５５によるクールダウン自動制御も再開する。通常出湯モードの途中やクールダウンモードの途中で、吐水部１１〜１４からの出湯を停止した場合には、クールダウン自動制御が中断してリセットされる。
【００４１】
また、クールダウン手動制御では、基準温度（Ｔｓ℃）と、クールダウンモードへの移行を開始するまでの待機時間（通常出湯モードの継続可能時間）が、手動により任意に設定される。制御部５５は、手動設定温度（Ｔｍ℃）が基準温度（Ｔｓ℃）より高い場合に、吐水部１１〜１４における出湯開始からの経過時間の計測を開始する。計測される出湯経過時間が、手動設定した待機時間に達すると、制御部５５は、通常出湯モードからクールダウンモードへ移行し、クールダウン自動制御と同じ手順で出湯温度を制御する。通常出湯モードの途中やクールダウンモードの途中で、吐水部１１〜１４からの出湯を停止した場合には、クールダウン手動制御が中断してリセットされる。
【００４２】
本実施例１の吐水装置Ａは、高温の湯を浴び続けることに起因する身体への負担を軽減する機能を備えている。吐水装置Ａは、温水を出湯する吐水部１１〜１４と、吐水部１１〜１４における出湯温度を設定可能な温度設定操作部３０と、制御部５５とを備えている。制御部５５は、吐水部１１〜１４における出湯温度を制御可能であり、吐水部１１〜１４からの出湯中に出湯温度を低下させるクールダウン制御機能を有している。吐水部１１〜１４から高温の湯が吐出している状態が続くと、制御部５５は出湯温度を低下させる。これにより、高温の湯を浴び続けることに起因するのぼせの症状を回避することができる。
【００４３】
また、吐水装置Ａは、クールダウン制御機能を実行させるための条件を設定可能なクールダウン設定部３７を備えているので、吐水装置Ａの利用者の年齢や体調等に応じて、クールダウン制御機能を適切に実行させることができる。
【００４４】
また、制御部５５は、クールダウン制御により出湯温度を一旦クールダウン温度（Ｔｃ℃）まで低下させた後、所定のクールダウン時間が経過したことを条件として、出湯温度を手動設定温度（Ｔｍ℃）へ上昇させる機能を備えている。これにより、身体への負担を心配せずに、ヘッドシャワーやハンドシャワーやミストによる快適な入浴時間を長い時間に亘って楽しむことができる。
【００４５】
＜他の実施例＞
本発明は上記記述及び図面によって説明した実施例に限定されるものではなく、例えば次のような実施例も本発明の技術的範囲に含まれる。
（１）上記実施例では、出湯温度が基準温度（閾値）を超えている間の出湯温度と出湯継続時間の積算値に基づいて、出湯温度を低下させるようにしたが、出湯温度が閾値を超えている時間だけに基づいて出湯温度を低下させるようにしてもよい。
（２）上記実施例では、出湯温度を一旦低下させた後、さらに所定のクールダウン時間が経過したことを条件として、出湯温度を手動設定した温度へ上昇させるようにしたが、出湯温度を一旦低下させた後は、出湯温度を手動設定した温度へ戻さないようにしてもよい。
（３）上記実施例では、吐水部がヘッドシャワー用吐水部とミスト用吐水部を含んでいるが、本発明は、ヘッドシャワー用吐水部やミスト用吐水部を含まない場合にも適用できる。
（４）上記実施例では、４種類の吐水部を有するが、吐水部の種類数は、３つ以下でもよく、５つ以上でもよい。
（５）上記実施例では、吐水部から湯が吐出している給湯状態では、複数の吐水部のうちいずれか１つの吐水部だけから湯が吐出されるようにしたが、複数の吐水部から湯が同時に吐出するようにしてもよい。
（６）上記実施例では、混合部が、水と湯の混合比（給湯温度）を調節する機構だけでなく、吐水部への給湯流量を調節する機構も兼ね備えているが、混合部は、吐水部への給湯流量調節機構を有しない形態であってもよい。この場合、共用流路に１つの給湯流量調節機構を設けてもよく、各吐水部用に分かれた複数の分岐流路に、複数の給湯流量調節機構を個別に設けてもよい。
【符号の説明】
【００４６】
Ａ…吐水装置
１１…ヘッドシャワー用吐水部（吐水部）
１２…ハンドシャワー用吐水部（吐水部）
１３…ミスト用吐水部（吐水部）
１４…カラン用吐水部（吐水部）
３０…温度設定操作部
３７…クールダウン設定部
５５…制御部
【図１】
2020143466.tif 000003
【図２】
2020143466.tif 000004
【図３】
2020143466.tif 000005
【図４】
2020143466.tif 000006
【図５】
2020143466.tif 000007